(57)【要約】【課題】レイアウトの自由度が大きいうえに、移動が容易で研磨装置のメンテナンスを簡便に行うことのできるメダル計数機構を提供する。【解決手段】メダル研磨揚送機構を含む遊技機設置島に隣接するメダル計数機構６であって、該メダル計数機構６をロック機構と走行機構とを介して遊技機設置島から分離移動自在に配設する。ロック機構は、計数機構６側に設けた回動可能な係止用フック７２と、遊技機設置島側もしくはメダル研磨揚送機構側に設けた係止穴５５とからなり、係止用フック７２を係止穴５５に着脱自在に掛着することにより、計数機構６を研磨装置２に隣接して固定する。さらに、計数機構６には、底部にキャスター７６を取付けて移動を容易なものとする。【選択図】　　図１
2004081515.tif 000002
【特許請求の範囲】
【請求項１】
メダル研磨揚送機構を含む遊技機設置島に隣接するメダル計数機構であって、該メダル計数機構をロック機構と走行機構とを介して遊技機設置島から分離移動自在に配設したことを特徴とするメダル計数機構。
【請求項２】
ロック機構が、メダル計数機構側に設けた回動可能な係止用フックと、遊技機設置島側もしくはメダル研磨揚送機構側に設けた係止穴とからなり、係止用フックが係止穴に着脱自在に掛着されていることを特徴とする請求項１に記載のメダル計数機構。
【請求項３】
走行機構が、計数機構の底部に設けたキャスターであることを特徴とする請求項１又は２に記載のメダル計数機構。
【請求項４】
メダル計数機構は、メダルを送出する送出手段と、メダルを貯留するためのメダル貯留部とを備えることを特徴とする請求項１〜３の何れかに記載のメダル計数機構。
【発明の詳細な説明】
【０００１】
【発明の属する技術分野】
本発明は、遊技者が獲得したメダルを計数してメダル研磨装置に送り出すためのメダル計数機構（メダル計数装置）に関するものである。
【０００２】
【従来の技術】
遊技機から排出されて回収された使用済みのメダルを研磨するための研磨装置と、研磨済みのメダルを遊技機設置島上部に揚送するための揚送装置とが、スロットマシンなどの遊技機が列設された遊技機設置島の端部に配設されている。また、遊技者が遊技を行った結果獲得したメダルの枚数を計数する計数機構は、通常研磨装置と並設されているために、これらの装置を設置するためのフロアを確保する必要があって、その分遊技ホールのスペースを狭いものとしていたうえに、レイアウトの自由度の小さいものであった。また、研磨装置は汚染した研磨水や研磨剤などを交換するメンテナンスを頻繁に行う必要がある。しかしながら、従来貯留設備付きの計数機構は研磨装置に固定されていたために容易に分離移動することができず、メンテナンス作業が煩雑で時間がかかるという問題があった。
【０００３】
【発明が解決しようとする課題】
本発明は上記した従来の問題点を解決し、レイアウトの自由度が大きいうえに、移動が容易で研磨装置のメンテナンスを簡便に行うことのできるメダル計数機構を提供するためになされたものである。
【０００４】
【課題を解決するための手段】上記の課題を解決するためになされた本発明のメダル計数機構は、メダル研磨揚送機構を含む遊技機設置島に隣接するメダル計数機構であって、該メダル計数機構をロック機構と走行機構とを介して遊技機設置島から分離移動自在に配設したことを特徴とするものである。
【０００５】
なお、上記したメダル計数機構は、ロック機構が、メダル計数機構側に設けた回動可能な係止用フックと、遊技機設置島側もしくはメダル研磨揚送機構側に設けた係止穴とからなり、係止用フックが係止穴に着脱自在に掛着されているものとすることができ、また、走行機構を、計数機構の底部に設けたキャスターとすることができ、さらに、メダル計数機構は、メダルを送出する送出手段と、メダルを貯留するためのメダル貯留部とを備えているものとすることができる。
【０００６】
本発明のメダル計数機構は、計数機構をロック機構と移動機構とを介して遊技機設置島から分離移動自在に配設したので、研磨装置のメンテナンス時には計数機構を研磨装置から簡単に引き離すことができて、容易に研磨装置のメンテナンスを行うことができる。
【０００７】
【発明の実施の形態】
以下に図面を参照しつつ本発明の好ましい実施形態を説明する。
［遊技機設置島の構成］
図２は本発明のメダル計数機構が配設された遊技機設置島の概略図であって、１１はスロットマシンなどの遊技機であり、遊技機１１の下部にはメダル排出口１２が設けられていて、使用済みのメダルはこのメダル排出口１２から樋１３内に落下する．樋１３にはメダル回収車１４が配設されていて、このメダル回収車１４にはメダルを一方向に押して回収するための回動片１４ａが垂設されていて、樋１３内に落下して堆積したメダルを遊技機設置島の一側にまで押出して回収する。回収されたメダルは回収コンベア１５により研磨装置２に投入されて研磨された後、揚送装置４により遊技機設置島上部まで揚送される。遊技機設置島上部には補給用コンベア１６とレール１７上を左右に走行するメダル補給車１８が配設されていて、このメダル補給車１８は補給用コンベア１６から供給されたメダルを、メダルの不足した遊技機１１にまで運搬して補給パイプ１９からメダルを補給する。以上のようにしてメダルは遊技機設置島内を循環する。なお、揚送装置４に隣接して計数機構６が配設されており、遊技者が投入して計数を終了したメダルは計数機構６から研磨装置２に送出されて研磨される。
【０００８】
［メダル研磨揚送機構の構成］
メダル研磨揚送機構の概略構成を図１に示すが、このメダル研磨揚送機構は遊技機設置島の一端に配設されていて、メダルの研磨装置２と、研磨装置２が下部に配設された揚送装置４と、研磨装置２に隣接する計数機構６とからなる。研磨装置２には計数機構６のコンベア６８からメダルが投入されるとともに、遊技機設置島側の回収コンベア１５からも通路１５ａを介してメダルが投入される。研磨されたメダルが揚送装置４により上方に揚送される。
【０００９】
［計数機構の構成］
図３〜６にメダル計数機構６の概略構成を示す。この計数機構６は、上部のメダル計数部６１と下部のメダル払出し部６２とからなる。メダル計数部６１は、メダルが投入される上部ホッパー６３と、メダルを遠心力を利用して一枚づつ送り出すための回転体６４と、回転体６４の駆動装置６５と、メダルを計数するためのセンサー６６とを備えている。メダル払出し部６２は、計数済みのメダルを一時貯留する下部ホッパー６７と、下部ホッパー６７に送り込まれたメダルを搬送するためのコンベア６８と、コンベア６８の駆動装置６９を備えている。なお、コンベア６８はメダルを斜め上方に搬送するが、メダルが排出されるコンベア６８の先端部は、図１に示したように研磨装置２の上方に位置させてある。詳しくは後述する研磨装置２のメダル受け器３６の上部に位置させてあるので、遊技者が投入して計数を終了したメダルは、コンベア６８により搬送されて、研磨装置２のメダル受け器３６に落下する。なお、メダル払出し部６２の一側にはメダルの振り分け通路７０が設けてあって、通常はこの通路７０から下部ホッパー６７にメダルが排出されるが、計数機構６を研磨装置２から分離して単独で用いる場合には、計数済みのメダルを貯留部、すなわちキャスター７１ａ付きの貯留箱７１に回収して一時貯留することができる。
【００１０】
計数機構６の側面には、ロック機構としての係止用フック７２が設けてある。
また、揚送装置４のコーナー部の支柱で、計数機構６が当接する遊技機設置島の支柱４ａの側面には係止穴５５が設けてあって、係止用フック７２を係止穴５５に掛着することによって、計数機構６を研磨装置２に隣接して固定することができる。なお、揚送装置４の側面の下部で２本の支柱４ａ間には，研磨装置２が出入り可能な開放部が設けてある。なお、係止穴５５は研磨装置２に設けてもよい。
係止用フック７２は図６に示すような構造のものであって、ワイヤ７３を引っ張ることによって軸７４を中心に回動して揚送装置４の係止穴５５との係止を解除することができる。
また、計数機構６の底部７５には、移動機構としてキャスター７６が備えてあるので、係止用フック７２の係止穴５５への掛着を解除することにより、計数機構６を容易に移動することができて、研磨布の交換などの研磨装置２のメンテナンスを簡便に行うことができる。
【００１１】
［研磨装置の構成］
研磨装置２の詳細を図７〜１１に示す。研磨装置２には、支持板２０に取付けられたメダル搬送装置３０と、支持板２７に取付けられた一組の研磨布移動装置２６が備えられている。
メダル搬送装置３０は、支持板２０に取付けられたモーター２１と、このモーター２１によって駆動される駆動プーリ２２と、この駆動プーリ２２に連動する３本の従動プーリ２２ａとが間隔をおいて四角形に配置されている。駆動プーリ２２と従動プーリ２２ａを周回して一対の無端の歯付ベルト２３が装着されている。なお、図９に示すように、上記したプーリ２２、２２ａには歯２２１が形成されており、また、歯付ベルト２３の裏側全周にはこの歯２２１に食い込むように凹凸２３１が形成されているので、歯付ベルト２３に多少の負荷がかかったときにも歯付ベルト２３を確実に回動させることができる。
【００１２】
そして、図１０に示すように、左右に一対の歯付ベルト２３には、略コの字形でメダルの厚みより薄いメダル保持用の薄板２４が、一定間隔をおいて梯子段状に配置されてメダル搬送用ベルト３０ａを構成している。この薄板２４は前記歯付ベルト２３にその両端がネジ留めされて固定されており、前後の薄板２４との間に開口したメダル受け部２５を形成している。メダル受け部２５は、進行方向には一枚のメダルが入ることのできる寸法であるが、進行方向に対して横方向には複数枚のメダルが入ることのできる幅に形成してあって、複数枚のメダルを横一列に保持して効率的に研磨することができる。なお、薄板２４はコの字型の開口部を、図１０のように進行方向に向けてもよいし、図１１のように進行方向と逆向きとしても何ら差し支えはない。
【００１３】
そして、図７、８に示したように、メダル搬送用ベルト３０ａの上下には、一組の研磨布移動装置２６が配設されているが、この研磨布移動装置２６は、支持板２７に払出し軸２８ａと巻取り軸２８とが設けられていて、払出し軸２８ａと巻取り軸２８にロール状の研磨布２９が装着されている。研磨布２９は梯子段状に連設された薄板２４を上下から挟むように張設されており、また、研磨布２９は、研磨布２９を押圧するための抑え板３１と、両端にガイド用ローラ３２とを有する押圧部材３３により支持されて、メダル受け部２５にある移動中のメダルを挟みつけて押圧、研磨する。なお、抑え板３１の裏側にはヒーター３１１が配してあるので研磨布２９を適温に加熱することができる。また、両端のガイド用ローラ３２の近傍には、研磨布２９が汚染した時に研磨布２９を定量送り出して新研磨面をセットするための送りローラ３４とガイドローラ３４ａが配設されている。また、払出し軸２８ａの近傍には払出し時にロール状の研磨布２９がたるむのを防止するための抑えローラ３５が配設されている。
【００１４】
メダル計数機構６あるいは回収コンベア１５から送り込まれたメダルは、研磨装置２の端部に設けられたメダル受け器３６に投入される。メダル受け器３６にはメダル搬送用ベルト３０ａに向けて低く傾斜した底面３６１が形成してあるので、メダル受け器３６に投入されたメダルは、メダル搬送用ベルト３０ａのメダル受け部２５に送入される。なお、メダル受け部２５に送り込まれたメダルは、張設された研磨布２９の入り口まで支持板３７上を移動する。メダルがメダル受け器３６から排出されてメダル搬送用ベルト３０ａに落下する位置の上方には振り子状にスイングするメダル均し部材３８と、このメダル均し部材３８と若干進行方向に距離を置いて回転ブラシ状のメダル均し部材３８ａとが配設されている。したがって、メダル受け部２５に送入されたメダルは多重に重なることなく一重の状態に均されて搬送されて、上下に対向して張設された研磨布２９の間を通過するので、メダルの表裏面を同時に研磨することができる。なお、研磨布移動装置２６のメダル入り側には、研磨液の含浸部３９が上下に対向して設けられていて研磨布２９に研磨液を供給するのでメダルの研磨をより効率的に行うことができる。なお、研磨装置２の下部にはボール状のキャスター２ａが設けてあって、揚送装置４の底板に平行に設けた溝条部内を走行させることにより、メンテナンスなどで必要が生じた時に研磨装置２を揚送装置４の外部に容易に移動できるように構成されている。
【００１５】
［揚送装置の構成］
図１２、１３は揚送装置４の構成を示す図であって、研磨装置２にて研磨されたメダルは、揚送装置４の下部に設けた下部入り口４１からリフト４２に送り込まれて遊技機設置島の上部に揚送される。揚送装置４のリフト４２は図１４に示すような構造であって、多数のメダル保持部４３が歯付ベルト４４に多数連設されている。このメダル保持部４３の一端には開口部４５が形成され底面４６をこの開口部４５に向けて低く傾斜させてあるので、メダル保持部４３に投入されて揚送されたメダルは開口部４５から排出されて上部出口４７、補給コンベア１６を経由してメダル補給車１８に送出される。
【００１６】
なお、メダル補給車１８がメダル補給のために待機位置にある時には補給コンベア１６からメダル補給車１８にメダルが補給されるが、メダル補給車１８が走行中で待機位置にいないときには、補給コンベア１６は逆回転されて揚送されたメダルは中間タンク４８に投入される。中間タンク４８に投入されたメダルは、その下部に設けた排出路４９から排出されて中間投入口５０からリフト４２に送出されて再び揚送される。したがって、メダル補給車１８が待機位置にいない時にも揚送装置４のリフト４２は停止されることなくメダルを揚送することができる。また、中間タンク４８から大量のメダルを補充することができるので、メダル補給車１８へのメダルの搭載を迅速に行うことができる。
【００１７】
【発明の効果】
以上に説明したように、本発明のメダル計数機構は、計数機構をロック機構と移動機構とを介して遊技機設置島から分離移動自在に配設したので、研磨装置のメンテナンス時には計数機構を研磨装置から簡単に引き離すことができる。ロック機構を、回動可能な係止用フックと、係止穴とにより構成したので、係止用フックを係止穴に着脱自在に掛着することができる。また、計数機構の底部にキャスターを設けたので、計数機構の移動を容易に行うことができる。さらに、メダル計数機構には、メダルを送出する送出手段と、メダルを貯留するためのメダル貯留部とを備え他ので、メダルの送出と貯留とを自在に切り替えて行うことができる。
したがって、本発明のメダル計数機構は、遊技機設置島のレイアウトの自由度を増大することができるうえに、研磨装置のメンテナンスを極めて容易に行うことができるという大きな利点を有する。
【図面の簡単な説明】
【図１】メダル研磨揚送機構の正面図である。
【図２】遊技機設置島の概略構成を示す正面図である。
【図３】計数機構の正面図である。
【図４】計数機構の側面図である。
【図５】計数機構の平面図である。
【図６】係止用フックの構成図である。
【図７】研磨装置の主要部の正面図である。
【図８】研磨装置の主要部の拡大図である。
【図９】プーリと歯付ベルトの詳細図である。
【図１０】メダル搬送装置の平面図である。
【図１１】メダル搬送用ベルトの平面図である。
【図１２】メダル研磨揚送機構の正面図である。
【図１３】メダル研磨揚送機構の側面図である。
【図１４】リフトの斜視図である。
【符号の説明】
２　研磨装置
４　揚送装置
５５　係止穴
６　計数機構
７２　係止用フック
７６　キャスター
【図１】
2004081515.tif 000003
【図２】
2004081515.tif 000004
【図３】
2004081515.tif 000005
【図４】
2004081515.tif 000006
【図５】
2004081515.tif 000007
【図６】
2004081515.tif 000008
【図７】
2004081515.tif 000009
【図８】
2004081515.tif 000010
【図９】
2004081515.tif 000011
【図１０】
2004081515.tif 000012
【図１１】
2004081515.tif 000013
【図１２】
2004081515.tif 000014
【図１３】
2004081515.tif 000015
【図１４】
2004081515.tif 000016